(57)【要約】【課題】タッチパネルの誤動作を抑制することが可能な操作パネルを提供する。【解決手段】この操作パネル３は、画像を表示する表示パネル１０と、表示パネル１０の表示面側に配置されるガラス板１１ａを有するタッチパネル１１と、タッチパネル１１の縁部を保持する樹脂製の筐体１２と、を備える。筐体１２は、枠部１２ｂと、枠部１２ｂに設けられ、ガラス板１１ａの短辺を構成する側面１１ｅに当接するとともに、ガラス板１１ａの長手方向に弾性変形する保持部２２と、を有する。【選択図】図３
2016012282.tif 000002
【特許請求の範囲】
【請求項１】
画像を表示する表示パネルと、
前記表示パネルの表示面側に配置されるガラス板を有するタッチパネルと、
前記タッチパネルの縁部を保持する樹脂製の筐体と、
を備え、
前記筐体は、枠部と、前記枠部に設けられ、前記ガラス板の短辺を構成する側面に当接するとともに、前記ガラス板の長手方向に弾性変形する保持部と、を有することを特徴とする操作パネル。
【請求項２】
前記保持部は、前記短辺に沿って延びるとともに前記長手方向に撓む弾性部と、前記弾性部を前記枠部に連結する支柱部と、前記弾性部から前記ガラス板側に突出し前記側面に当接する当接部と、を有することを特徴とする請求項１に記載の操作パネル。
【請求項３】
前記当接部と前記側面との接触部分には、前記タッチパネルの中心部に向かうにしたがって前記表示パネルから離れる方向に傾斜する傾斜面が形成されていることを特徴とする請求項２に記載の操作パネル。
【請求項４】
前記支柱部は、前記弾性部の両端部に配置されており、
前記当接部は、前記弾性部の中央部に配置されていることを特徴とする請求項２または３に記載の操作パネル。
【請求項５】
画像を表示する表示パネルと、
前記表示パネルの表示面側に配置されるガラス板を有するタッチパネルと、
前記タッチパネルの縁部を保持する樹脂製の筐体と、
を備え、
前記筐体は、枠部と、前記枠部に設けられ、前記ガラス板の短辺を構成する側面に当接する保持部を有し、
前記保持部と前記側面との接触部分には、前記タッチパネルの中心部に向かうにしたがって前記表示パネルから離れる方向に傾斜する傾斜面が形成されていることを特徴とすることを特徴とする操作パネル。
【請求項６】
画像を表示する表示パネルと、
前記表示パネルの表示面側に配置されるタッチパネルと、
前記タッチパネルの縁部を保持する樹脂製の筐体と、
を備え、
前記タッチパネルは、ガラス板と、前記ガラス板の前記表示パネルとは反対側に配置されるカバーフィルムと、を有し、
前記筐体は、枠部と、前記枠部に設けられ、前記カバーフィルムの短辺を構成する縁部を前記表示パネル側に押圧するとともに、前記カバーフィルムの長手方向に弾性変形する保持部と、を有することを特徴とする操作パネル。
【請求項７】
前記保持部の前記長手方向の厚みは、前記保持部の前記タッチパネル側への突出高さの１／４以下であることを特徴とする請求項６に記載の操作パネル。
【請求項８】
請求項１〜７のいずれか１項に記載の操作パネルを備えた画像形成装置。
【発明の詳細な説明】
【技術分野】
【０００１】
本発明は、操作パネルおよびそれを備えた画像形成装置に関し、特に、表示パネルの表示面側に配置されるタッチパネルとタッチパネルを保持する筐体とを含む操作パネルおよびそれを備えた画像形成装置に関する。
【背景技術】
【０００２】
従来、画像形成装置には、ユーザーが操作する操作ボタンや表示部を有する操作パネルが設けられている。操作パネルは、画像を表示する表示パネルと、表示パネルの表示面側に配置され、ユーザーがタッチして入力操作を行うタッチパネルと、タッチパネルの縁部を保持する樹脂製の筐体と、を備える。
【０００３】
例えば抵抗膜方式のタッチパネルは、ガラス板と、ガラス板の上面に配置されるカバーフィルムと、を有し、カバーフィルムがユーザーにより押圧されて撓んでガラス板と接触することによって、ユーザーによる押圧位置が検出される。
【０００４】
筐体はタッチパネルを所定の位置に保持するために、通常はタッチパネルの縁部を表示パネル側に押圧している。
【０００５】
なお、表示パネルと、表示パネルの表示面側に配置されるタッチパネルと、タッチパネルを所定の位置に保持する筐体と、を備える表示装置（操作パネル）は、例えば特許文献１に開示されている。
【先行技術文献】
【特許文献】
【０００６】
【特許文献１】特開２０１３−７７１８５号公報
【発明の概要】
【発明が解決しようとする課題】
【０００７】
しかしながら、樹脂製の筐体でタッチパネルの縁部を保持する従来の操作パネルでは、樹脂製の筐体はガラス板に比べて線膨張係数が大きいので、筐体が熱収縮する際に、ガラス板に負荷がかかったり、筐体がカバーフィルムを撓ませたりして、タッチパネルが誤動作する場合がある、という問題点がある。
【０００８】
本発明は、上記のような課題を解決するためになされたものであり、本発明の目的は、タッチパネルの誤動作を抑制することが可能な操作パネルおよびそれを備えた画像形成装置を提供することである。
【課題を解決するための手段】
【０００９】
上記目的を達成するために、本発明の第１の局面に係る操作パネルは、画像を表示する表示パネルと、表示パネルの表示面側に配置されるガラス板を有するタッチパネルと、タッチパネルの縁部を保持する樹脂製の筐体と、を備え、筐体は、枠部と、枠部に設けられ、ガラス板の短辺を構成する側面に当接するとともに、ガラス板の長手方向に弾性変形する保持部と、を有する。
【００１０】
本発明の第２の局面に係る操作パネルは、画像を表示する表示パネルと、表示パネルの表示面側に配置されるガラス板を有するタッチパネルと、タッチパネルの縁部を保持する樹脂製の筐体と、を備え、筐体は、枠部と、枠部に設けられ、ガラス板の短辺を構成する側面に当接する保持部を有し、保持部と側面との接触部分には、タッチパネルの中心部に向かうにしたがって表示パネルから離れる方向に傾斜する傾斜面が形成されている。
【００１１】
本発明の第３の局面に係る操作パネルは、画像を表示する表示パネルと、表示パネルの表示面側に配置されるタッチパネルと、タッチパネルの縁部を保持する樹脂製の筐体と、を備え、タッチパネルは、ガラス板と、ガラス板の表示パネルとは反対側に配置されるカバーフィルムと、を有し、筐体は、枠部と、枠部に設けられ、カバーフィルムの短辺を構成する縁部を表示パネル側に押圧するとともに、カバーフィルムの長手方向に弾性変形する保持部と、を有する。
【発明の効果】
【００１２】
本発明の第１の局面に係る操作パネルによれば、筐体は、ガラス板の短辺を構成する側面に当接するとともに、ガラス板の長手方向に弾性変形する保持部を有する。これにより、筐体が長手方向に熱収縮する場合に、ガラス板の側面に当接する保持部がガラス板の長手方向に弾性変形する。このため、ガラス板に負荷がかかるのを抑制することができるので、タッチパネルが誤動作するのを抑制することができる。
【００１３】
また、筐体の保持部はガラス板の側面を保持するので、ガラス板上にカバーフィルムが配置されている場合であっても、筐体の保持部がカバーフィルムを撓ませるのを抑制することができ、タッチパネルが誤動作するのを抑制することができる。
【００１４】
また、筐体の収縮量はガラス板の短手方向に比べて長手方向に大きくなるので、ガラス板の長手方向の側面（短辺を構成する側面）を保持する保持部を弾性変形するように構成し、ガラス板への負荷を抑制することは、特に効果的である。
【００１５】
本発明の第２の局面に係る操作パネルによれば、筐体は、ガラス板の短辺を構成する側面に当接する保持部を有し、保持部と側面との接触部分には、タッチパネルの中心部に向かうにしたがって表示パネルから離れる方向に傾斜する傾斜面が形成されている。これにより、筐体が長手方向に熱収縮する場合に、筐体の当接部とガラス板の側面とが互いに摺動して、ガラス板が表示パネル側に移動する。このため、ガラス板に負荷がかかるのを抑制することができるので、タッチパネルが誤動作するのを抑制することができる。
【００１６】
また、筐体の保持部はガラス板の側面を保持するので、ガラス板上にカバーフィルムが配置されている場合であっても、筐体の保持部がカバーフィルムを撓ませるのを抑制することができ、タッチパネルが誤動作するのを抑制することができる。
【００１７】
また、筐体の収縮量はガラス板の短手方向に比べて長手方向に大きくなるので、ガラス板の長手方向の側面（短辺を構成する側面）を保持する保持部とガラス板の側面との接触部分に傾斜面を形成し、ガラス板への負荷を抑制することは、特に効果的である。
【００１８】
本発明の第３の局面に係る操作パネルによれば、タッチパネルは、ガラス板と、ガラス板の表示パネルとは反対側に配置されるカバーフィルムと、を有し、筐体は、カバーフィルムの短辺を構成する縁部を表示パネル側に押圧するとともに、カバーフィルムの長手方向に弾性変形する保持部を有する。これにより、筐体が長手方向に熱収縮する場合に、保持部がカバーフィルムの長手方向に弾性変形する。このため、カバーフィルムが撓んだり、ガラス板に負荷がかかったりするのを抑制することができるので、タッチパネルが誤動作するのを抑制することができる。
【００１９】
また、筐体の収縮量はカバーフィルムの短手方向に比べて長手方向に大きくなるので、カバーフィルムの長手方向の縁部（短辺を構成する縁部）を保持する保持部を弾性変形するように構成し、カバーフィルムおよびガラス板への負荷を抑制することは、特に効果的である。
【図面の簡単な説明】
【００２０】
【図１】本発明の第１実施形態の画像形成装置の構造を示した斜視図である。
【図２】本発明の第１実施形態の操作パネルの構造を示した斜視図である。
【図３】図２の５０−５０線に沿った拡大断面図である。
【図４】本発明の第１実施形態の操作パネルの内部構造を背面側から示した斜視図である。
【図５】図４に示した保持部の拡大斜視図である。
【図６】本発明の第２実施形態の操作パネルの保持部周辺の構造を示した拡大断面図である。
【図７】本発明の第３実施形態の操作パネルの保持部周辺の構造を示した拡大断面図である。
【図８】本発明の第４実施形態の操作パネルの保持部周辺の構造を示した拡大断面図である。
【発明を実施するための形態】
【００２１】
以下、本発明の実施形態について図面を参照して説明する。
【００２２】
（第１実施形態）
図１〜図５を参照して、本発明の第１実施形態による画像形成装置１００について説明する。図１に示すように、画像形成装置１００は、装置本体１と、その上部に配設された画像読取装置２と、を備える。
【００２３】
画像読取装置２内には、コンタクトガラス２ａ上の原稿の画像情報を読み取る画像読取部が設けられている。画像読取部は、複写時に原稿を照明するスキャナーランプや原稿からの反射光の光路を変更するミラーが搭載された走査光学系、原稿からの反射光を集光して結像する集光レンズ、及び結像された画像光を電気信号に変換するＣＣＤセンサ等（いずれも図示せず）から構成されており、原稿画像を読み取って画像データに変換する。
【００２４】
画像読取装置２の正面部には、操作ボタンや表示部を有する操作パネル３が設けられている。なお、画像読取装置２の上部には、コンタクトガラス２ａ上に載置された原稿を押えるプラテン（図示せず）が開閉可能に設けられている。プラテン上には、原稿束から１枚ずつの原稿を自動的に順次コンタクトガラス２ａ上に送る自動原稿搬送装置（図示せず）が設けられていてもよい。
【００２５】
画像読取装置２と装置本体１との間には、左側面及び正面に向けて大きく開放された胴内排紙空間４が設けられている。
【００２６】
装置本体１の正面部には、用紙（記録媒体）を収納する複数（ここでは２つ）の給紙カセット５が装置本体１に対して着脱可能に設けられている。
【００２７】
装置本体１の内部には、図示しない画像形成部、定着部、用紙搬送部などが設けられている。画像形成部は、画像読取装置２により読み込んだ画像データに基づいて、供給される用紙にトナー像を転写して画像を形成するものである。画像形成部は、静電潜像を担持する感光体ドラム、感光体ドラムの表面を帯電させる帯電ユニット、原稿画像に対応する静電潜像を感光体ドラムの表面にレーザービーム等によって形成する露光ユニット、形成された静電潜像に現像剤を付着させてトナー像を形成する現像ユニット、トナー像を用紙に転写する転写ローラー、感光体ドラム表面の残留トナーを除去するクリーニングブレード等を含んでいる。また、定着部は、トナー像が転写された用紙を加熱及び加圧することにより、用紙上にトナー像を定着させる。用紙搬送部（図示せず）は装置本体１の右側面に沿って上方に向かって延びており、給紙カセット５から画像形成部に用紙を搬送する。
【００２８】
また、装置本体１の内部の右側下部には、給紙カセット５から用紙を送り出し、上方に配置された用紙搬送部（図示せず）に用紙を搬送する給紙部（図示せず）が設けられている。また、装置本体１の右側面には、用紙搬送部の右側を覆う右側カバー部材８が、前面には前側カバー部材９が開閉可能に設けられている。
【００２９】
次に、操作パネル３の構造について説明する。
【００３０】
操作パネル３は図２〜図４に示すように、画像を表示する表示パネル１０（図３参照）と、表示パネル１０の表示面側（上側）に配置され、ユーザーがタッチして入力操作を行うタッチパネル１１と、タッチパネル１１の縁部を保持する樹脂製の筐体１２と、操作パネル３を制御する制御基板１３（図４参照）と、を含んでいる。なお、図４では、表示パネル１０を省略している。
【００３１】
表示パネル１０は、矩形状の液晶表示パネルからなり、画像形成動作に関する情報や、タッチパネル操作用のボタン画像等を表示する。また、表示パネル１０の背面（下面）は、操作パネル３の背面を構成する筐体１２の載置面（図示せず）によって支持されている。
【００３２】
タッチパネル１１は図３に示すように、表示パネル１０の表示面（上面）の縁部に配置されるスポンジ等からなる弾性体１４を介して、表示パネル１０上に配置されている。また、タッチパネル１１は、矩形状のガラス板１１ａと、ガラス板１１ａよりも少しだけ面積の小さい透光性のカバーフィルム１１ｂと、ガラス板１１ａとカバーフィルム１１ｂとを接着する両面テープ等からなる接着層１１ｃと、を有する。タッチパネル１１は、抵抗膜方式のタッチパネルであり、ガラス板１１ａとカバーフィルム１１ｂとの対向面の各々には、透明導電膜（図示せず）が形成されている。そして、カバーフィルム１１ｂの上面がユーザーにより押圧され、カバーフィルム１１ｂが撓んでガラス板１１ａと接触することによって、ユーザーによる押圧位置が検出される。
【００３３】
筐体１２は図２に示すように、複数の操作ボタン１５が設けられたボタン配置部１２ａと、表示パネル１０の画像表示領域に対応する開口部が形成され、タッチパネル１１の縁部を保持する枠部１２ｂと、を含んでいる。
【００３４】
枠部１２ｂには図４に示すように、タッチパネル１１のガラス板１１ａの長辺を構成する２つの側面１１ｄに当接する複数の当接片２０と、ガラス板１１ａの短辺を構成する側面１１ｅの一方（図４の右側の側面１１ｅ）に当接する複数の当接片２１と、側面１１ｅの他方（図４の左側の側面１１ｅ）に当接する複数（ここでは３個）の保持部２２と、表示パネル１０側（下側）に突出する規制部２３（図３参照）と、が一体成型されている。当接片２０および２１は、ガラス板１１ａへの当接方向において、枠部１２ｂに対してほとんど弾性変形しないように形成されている。
【００３５】
その一方、保持部２２は、ガラス板１１ａへの当接方向（ガラス板１１ａの長手方向、矢印Ａ方向）に弾性変形するように形成されている。具体的には図３〜図５に示すように、保持部２２は、ガラス板１１ａの短辺に沿った方向（矢印Ｂ方向）に延びるとともにガラス板１１ａの長手方向（矢印Ａ方向）に撓む弾性部２２ａと、弾性部２２ａを枠部１２ｂに連結する支柱部２２ｂと、弾性部２２ａからガラス板１１ａ側に突出して側面１１ｅに当接する例えば半円柱状の当接部２２ｃと、を有する。支柱部２２ｂは、弾性部２２ａの矢印Ｂ方向の両端部に配置されており、当接部２２ｃは、弾性部２２ａの矢印Ｂ方向の中央部に配置されている。
【００３６】
保持部２２に弾性部２２ａを形成することによって、ガラス板１１ａが長手方向（矢印Ａ方向）に熱膨張・熱収縮した場合であっても、弾性部２２ａが矢印Ａ方向に撓むので、当接部２２ｃのガラス板１１ａに対する接触が維持され、ガラス板１１ａを保持することが可能である。
【００３７】
図３に示すように、規制部２３は、開口部に沿って枠部１２ｂの略全周に形成されている。規制部２３は、ガラス板１１ａの上面縁部に当接し、タッチパネル１１の上方向への移動を規制する。また、規制部２３は、タッチパネル１１と筐体１２との隙間から操作パネル３の内部にゴミ等が侵入するのを抑制する。
【００３８】
本実施形態では、上記のように、筐体１２は、ガラス板１１ａの短辺を構成する側面１１ｅに当接するとともに、ガラス板１１ａの長手方向（矢印Ａ方向）に弾性変形する保持部２２を有する。これにより、筐体１２が長手方向に熱収縮する場合に、ガラス板１１ａの側面１１ｅに当接する保持部２２がガラス板１１ａの長手方向に弾性変形する。このため、ガラス板１１ａに負荷がかかるのを抑制することができるので、タッチパネル１１が誤動作するのを抑制することができる。
【００３９】
また、筐体１２の保持部２２はガラス板１１ａの側面１１ｅを保持するので、ガラス板１１ａ上にカバーフィルム１１ｂが配置されている場合であっても、筐体１２の保持部２２がカバーフィルム１１ｂを撓ませるのを抑制することができ、タッチパネル１１が誤動作するのを抑制することができる。
【００４０】
また、筐体１２の収縮量はガラス板１１ａの短手方向に比べて長手方向に大きくなるので、ガラス板１１ａの長手方向の側面１１ｅ（短辺を構成する側面１１ｅ）を保持する保持部２２を弾性変形するように構成し、ガラス板１１ａへの負荷を抑制することは、特に効果的である。
【００４１】
また、上記のように、保持部２２は、短辺に沿って延びるとともに矢印Ａ方向に撓む弾性部２２ａと、弾性部２２ａを枠部１２ｂに連結する支柱部２２ｂと、弾性部２２ａからガラス板１１ａ側に突出してガラス板１１ａの側面１１ｅに当接する当接部２２ｃと、を有する。これにより、保持部２２を、容易にガラス板１１ａの長手方向（矢印Ａ方向）に弾性変形させることができる。
【００４２】
また、上記のように、２つの支柱部２２ｂによって弾性部２２ａを枠部１２ｂに連結することによって、保持部２２の強度が高くなるので、保持部２２の厚みや幅を小さくすることができる。
【００４３】
（第２実施形態）
次に、図６を参照して、本発明の第２実施形態の操作パネル３について説明する。
【００４４】
本発明の第２実施形態では図６に示すように、保持部２２の当接部２２ｃとガラス板１１ａの側面１１ｅとの接触部分には、傾斜面が形成されている。本実施形態では、当接部２２ｃには傾斜面２２ｄが形成されており、側面１１ｅには傾斜面１１ｆが形成されている。傾斜面２２ｄおよび１１ｆは、タッチパネル１１の中心部に向かうにしたがって表示パネル１０から離れる方向に傾斜している。
【００４５】
第２実施形態のその他の構造は、上記第１実施形態と同様である。
【００４６】
本実施形態では、上記のように、当接部２２ｃと側面１１ｅとの接触部分には、タッチパネル１１の中心部に向かうにしたがって表示パネル１０から離れる方向に傾斜する傾斜面２２ｄ、１１ｆが形成されている。これにより、筐体１２が長手方向に熱収縮する場合に、筐体１２の当接部２２ｃとガラス板１１ａの側面１１ｅとが互いに摺動して、弾性体１４が圧縮されてガラス板１１ａが表示パネル１０側に移動する。このため、ガラス板１１ａに負荷がかかるのをより抑制することができる。
【００４７】
第２実施形態のその他の効果は、上記第１実施形態と同様である。
【００４８】
（第３実施形態）
次に、図７を参照して、本発明の第３実施形態の操作パネル３について説明する。
【００４９】
本発明の第３実施形態では図７に示すように、枠部１２ｂには、ガラス板１１ａの短辺を構成する側面１１ｅの他方（右側の側面１１ｅ）に当接することによりタッチパネル１１を保持する保持部２２が設けられている。
【００５０】
本実施形態の保持部２２は、ガラス板１１ａの短辺に沿って延びるように形成されているとともに、枠部１２ｂに対してほとんど弾性変形しないように形成されている。なお、保持部２２は、開口部に沿って枠部１２ｂの略全周に形成されていてもよい。この場合、当接片２０および２１は無くてもよい。
【００５１】
保持部２２と側面１１ｅとの接触部分には、傾斜面が形成されている。本実施形態では、保持部２２には傾斜面２２ｄが形成されており、側面１１ｅには傾斜面１１ｆが形成されている。傾斜面２２ｄおよび１１ｆは、タッチパネル１１の中心部に向かうにしたがって表示パネル１０から離れる方向に傾斜している。
【００５２】
また、保持部２２は、タッチパネル１１と筐体１２との隙間から操作パネル３の内部にゴミ等が侵入するのを抑制する。このため、保持部２２周辺では、規制部２３は設けられていない。
【００５３】
第３実施形態のその他の構造は、上記第１および第２実施形態と同様である。
【００５４】
本実施形態では、上記のように、筐体１２は、ガラス板１１ａの短辺を構成する側面１１ｅに当接する保持部２２を有し、保持部２２と側面１１ｅとの接触部分には、タッチパネル１１の中心部に向かうにしたがって表示パネル１０から離れる方向に傾斜する傾斜面２２ｄ、１１ｆが形成されている。これにより、筐体１２が長手方向に熱収縮する場合に、筐体１２の当接部２２ｃとガラス板１１ａの側面１１ｅとが互いに摺動して、弾性体１４が圧縮されてガラス板１１ａが表示パネル１０側に移動する。このため、ガラス板１１ａに負荷がかかるのを抑制することができるので、タッチパネル１１が誤動作するのを抑制することができる。
【００５５】
また、筐体１２の保持部２２はガラス板１１ａの側面１１ｅを保持するので、ガラス板１１ａ上にカバーフィルム１１ｂが配置されている場合であっても、筐体１２の保持部２２がカバーフィルム１１ｂを撓ませるのを抑制することができ、タッチパネル１１が誤動作するのを抑制することができる。
【００５６】
また、筐体１２の収縮量はガラス板１１ａの短手方向に比べて長手方向に大きくなるので、ガラス板１１ａの長手方向の側面１１ｅ（短辺を構成する側面１１ｅ）を保持する保持部２２とガラス板１１ａの側面１１ｅとの接触部分に傾斜面２２ｄ、１１ｆを形成し、ガラス板１１ａへの負荷を抑制することは、特に効果的である。
【００５７】
第３実施形態のその他の効果は、上記第１および第２実施形態と同様である。
【００５８】
（第４実施形態）
次に、図８を参照して、本発明の第４実施形態の操作パネル３について説明する。
【００５９】
本発明の第４実施形態では図８に示すように、枠部１２ｂには、カバーフィルム１１ｂの短辺を構成する縁部を表示パネル１０側に押圧することによりタッチパネル１１を保持する保持部２２が設けられている。保持部２２は、カバーフィルム１１ｂを介して接着層１１ｃの真上の位置に配置されている。
【００６０】
また、保持部２２は、カバーフィルム１１ｂの長手方向（矢印Ａ方向）に弾性変形するように形成されている。具体的には、保持部２２は枠部１２ｂからタッチパネル１１側（下側）に突出している。保持部２２の矢印Ａ方向の厚みＴは、保持部２２のタッチパネル１１側への突出高さＨの１／４以下で、好ましくは１／５以下に形成されている。
【００６１】
また、枠部１２ｂの保持部２２よりも内側の部分にはタッチパネル１１側に突出する枠先端部２４が形成されている。そして、保持部２２の矢印Ａ方向の厚みＴは、枠先端部２４とカバーフィルム１１ｂとの間の距離Ｌの半分以下となっている。
【００６２】
本実施形態の保持部２２は、ガラス板１１ａの短辺に沿って延びるように形成されている。なお、保持部２２は、開口部に沿って枠部１２ｂの略全周に形成されていてもよい。
【００６３】
また、保持部２２は、タッチパネル１１の上方向への移動を規制するとともに、タッチパネル１１と筐体１２との隙間から操作パネル３の内部にゴミ等が侵入するのを抑制する。このため、保持部２２周辺では、規制部２３は設けられていない。
【００６４】
第４実施形態のその他の構造は、上記第１実施形態と同様である。
【００６５】
本実施形態では、上記のように、タッチパネル１１は、ガラス板１１ａと、ガラス板１１ａの上側に配置されるカバーフィルム１１ｂと、を有し、筐体１２は、カバーフィルム１１ｂの短辺を構成する縁部を表示パネル１０側に押圧するとともに、カバーフィルム１１ｂの長手方向に弾性変形する保持部２２を有する。これにより、筐体１２が長手方向に熱収縮する場合に、保持部２２がカバーフィルム１１ｂの長手方向に弾性変形する。このため、カバーフィルム１１ｂが撓んだり、ガラス板１１ａに負荷がかかったりするのを抑制することができるので、タッチパネル１１が誤動作するのを抑制することができる。
【００６６】
また、筐体１２の収縮量はカバーフィルム１１ｂの短手方向に比べて長手方向に大きくなるので、カバーフィルム１１ｂの長手方向の縁部（短辺を構成する縁部）を保持する保持部２２を弾性変形するように構成し、カバーフィルム１１ｂおよびガラス板１１ａへの負荷を抑制することは、特に効果的である。
【００６７】
また、上記のように、保持部２２の矢印Ａ方向の厚みＴは、保持部２２のタッチパネル１１側への突出高さＨの１／４以下である。これにより、保持部２２を、容易にカバーフィルム１１ｂの矢印Ａ方向に弾性変形させることができる。
【００６８】
第４実施形態のその他の効果は、上記第１実施形態と同様である。
【００６９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７０】
例えば、上記実施形態では、抵抗膜方式のタッチパネルを用いた例について示したが、本発明はこれに限らず、抵抗膜方式以外のタッチパネルを用いてもよい。
【００７１】
また、上記実施形態では、保持部２２をタッチパネル１１の短辺の１つに当接するように設けた例について示したが、本発明はこれに限らない。保持部２２をタッチパネル１１の両方の短辺に当接するように長手方向の両側に設けてもよい。また、保持部２２をタッチパネル１１の長辺および短辺の全てに当接するように枠部１２ｂの全周に設けてもよい。
【００７２】
また、上記第１および第２実施形態では、支柱部２２ｂを弾性部２２ａの両端部に設け、当接部２２ｃを弾性部２２ａの中央部に設けた例について示したが、本発明はこれに限らず、支柱部２２ｂを弾性部２２ａの一方端部に設け、当接部２２ｃを弾性部２２ａの他方端部に設けてもよい。
【００７３】
また、上記第２および第３実施形態では、当接部２２ｃおよび側面１１ｅの両方に傾斜面を形成した例について示したが、本発明はこれに限らず、当接部２２ｃおよび側面１１ｅの一方のみに傾斜面を形成してもよい。
【００７４】
また、上述した実施形態および変形例の構成を適宜組み合わせて得られる構成についても、本発明の技術的範囲に含まれる。
【符号の説明】
【００７５】
３  操作パネル
１０  表示パネル
１１  タッチパネル
１１ａ  ガラス板
１１ｂ  カバーフィルム
１１ｅ  側面
１１ｆ  傾斜面
１２  筐体
１２ｂ  枠部
２２  保持部
２２ａ  弾性部
２２ｂ  支柱部
２２ｃ  当接部
２２ｄ  傾斜面
１００  画像形成装置
Ｈ  突出高さ
Ｔ  厚み
【図１】
2016012282.tif 000003
【図２】
2016012282.tif 000004
【図３】
2016012282.tif 000005
【図４】
2016012282.tif 000006
【図５】
2016012282.tif 000007
【図６】
2016012282.tif 000008
【図７】
2016012282.tif 000009
【図８】
2016012282.tif 000010